(57)【要約】【課題】射出筒前端部へ嵌合させたノズルキャップ回動により、該ノズルキャップ前壁中心に穿設したノズル孔と連通する液体通路が開閉自在とした、トリガー式液体噴出器において、上記液体通路が完全に開放した状態でノズルキャップが回転を停止するよう設けた。【解決手段】上記液体通路１３の各一部を形成する、射出筒側の通路部分と、ノズルキャップ１１周壁側の通路部分とが、ノズルキャップ一部へ付設した第２ストッパ２１一部が、液体噴出器２一部へ接して停止したとき、完全かつ正確に連通するよう形成した。【選択図】    図４
2004298683.tif 000002
【特許請求の範囲】
【請求項１】
射出筒前端へ、噴出孔付きのノズルキャップを回動可能に嵌合させ、該ノズルキャップ回動により上記噴出孔と連通する液体通路が開閉自在としたトリガー式液体噴出器において、
上記ノズルキャップ１１から第２ストッパ２１を突出させて、上記射出筒６に対するノズルキャップ１１回動により液体通路１３閉塞位置から開通位置へ移動させたとき、第２ストッパの一部がトリガー式液体噴出器の一部へ接して該ノズルキャップ１１の回動を停止可能に形成した
ことを特徴とするトリガー式液体噴出器。
【請求項２】
上記ノズルキャップ１１外面から第１ストッパ１５を突出させ、上記第２ストッパ２１が液体噴出器の一部へ接した位置から液体通路閉塞位置へノズルキャップ１１を回動させたとき、第１ストッパ１５が液体噴出器の他の一部へ接して停止可能に形成した
ことを特徴とする、請求項１記載のトリガー式液体噴出器。
【請求項３】
上記第１、第２ストッパ１５、２１のいずれかの一方ないし双方を、ノズルキャップで回動用の把手に兼用可能に形成した
ことを特徴とする、請求項２記載のトリガー式液体噴出器。
【発明の詳細な説明】
【０００１】
【発明の属する技術分野】
本発明はトリガー式の液体噴出器に関する。
【０００２】
【従来の技術】
トリガー式液体噴出器は、例えば特許文献１  、２  が示すように、射出筒前端へ噴出孔付きノズルキャップを回動自在に嵌合させ、該ノズルキャップ回動により射出筒に設けた通路部分とノズルキャップ内面に設けた通路部分とが連通したり、又不通となって、ノズルキャップが有する噴出孔への液体通路が開閉するよう設けている。
【０００３】
【特許文献１】
特開２０００−１８９８６２号公報
【特許文献２】
特開平１２−７０７９３号公報
【０００４】
【発明が解決しようとする課題】
上記ノズルキャップは、通常前方からみてほぼ正三角形筒状に形成され、その筒の一面を第１面と定め、該第１面が液体噴出器の上面側へほぼ水平に位置したとき、上記両液体通路部分が連通して液体通路が開き、又ノズルキャップ回動により上記第１面が上面から外れると、上記両液体通路部分は位置ずれにより不通となって、液体通路が閉塞されるよう設けている。
【０００５】
しかし実際に使用すると、上記第１面を正確にノズルキャップ上面側へ水平に位置させることは面倒であり、多少ずれた状態でトリガー操作することが多く、その結果、上記液体通路の開通が不充分となって液体噴出が不完全となることが多い。
【０００６】
本発明は、上記欠点を除去して液体通路が完全に開いた状態でだけ液体噴出操作することが容易としたものである。
【０００７】
【課題を解決するための手段】
第１の手段として射出筒前端へ、噴出孔付きのノズルキャップを回動可能に嵌合させ、該ノズルキャップ回動により上記噴出孔と連通する液体通路が開閉自在としたトリガー式液体噴出器において、
上記ノズルキャップ１１から第２ストッパ２１を突出させて、上記射出筒６に対するノズルキャップ１１回動により液体通路１３閉塞位置から開通位置へ移動させたとき、第２ストッパの一部がトリガー式液体噴出器の一部へ接して該ノズルキャップ１１の回動を停止可能に形成した。
【０００８】
第２の手段として、上記第１の手段を有すると共に上記ノズルキャップ１１外面から第１ストッパ１５を突出させ、上記第２ストッパ２１が液体噴出器の一部へ接した位置から液体通路閉塞位置へノズルキャップ１１を回動させたとき、第１ストッパ１５が液体噴出器の他の一部へ接して停止可能に形成した。
【０００９】
第３の手段として、上記第２の手段を有すると共に上記第１、第２ストッパ１５、２１のいずれかの一方ないし双方を、ノズルキャップで回動用の把手に兼用可能に形成した。
【００１０】
【発明の実施の形態】
以下図面について説明する。まず従来公知の構造について簡単に説明すると、１は口頸部を起立する容器体で、その口頸部外面へは、トリガー式液体噴出器２の主筒３下端部外面へ、回動可能に上端筒部を嵌合させた装着筒４を螺合させている。該噴出器外面へはカバー５を装着させており、上記主筒上端から前方へ突出する射出筒６前部には斜下前方へトリガー７を、前後方向への揺動が可能に枢着させ、かつ該トリガーの上部後面へは、シリンダ８内へ前方付勢させて摺動自在に嵌合されたプランジャ９前端部が当接させてある。
【００１１】
上記射出筒の前端部外面へは噴出孔１０付きのノズルキャップ１１を回動自在に嵌合させている。該ノズルキャップは、前方からみてほぼ三角形筒状に形成させてあり、その三角形状筒の一面を第１面１２と定めて、該第１面がノズルキャップ上面に位置したとき、液体通路１３が開いて噴出孔１０と連通し、又該第１面が上面から外れると、上記液体通路１３が閉塞するよう設けている。又該第１面１２側方からは第１ストッパ１５が突出させてあり、該第１ストッパは図１、図３が示すように、他の一面を上面へ位置させたとき、トリガー７側面へ接してノズルキャップ１１の回動が停止するよう設けている。
【００１２】
既述主筒下端からは吸上げパイプ１４を容器体１内へ垂下させている。
【００１３】
尚上記液体通路１３は、図２が示すように、ノズルキャップ１１の嵌合筒内面に設けた液体通路一部と射出筒６の棒状部外面に設けた液体通路一部とが重なって連通したり、又位置ずれにより不通となるよう設けられている。
【００１４】
本発明にあっては、ノズルキャップ１１の一部から第２ストッパ２１を突出させ、既述射出筒に対するノズルキャップ１１回動により液体通路閉塞位置から開通位置へ移動させたとき、第２ストッパ２１一部がトリガー式液体噴出器２の一部に接して停止するよう設けた。図示例は図５、図６が示すように、トリガー７の側面へ第２ストッパが接するよう設けているが、カバー５の前部側方等へ接するよう設けてもよい。尚該液体噴出位置で既述第１面１２はノズルキャップ１１の上面側へ水平に位置するよう設けている。
【００１５】
上記第２ストッパ２１のほか、ノズルキャップ１１回動により液体通路１３が閉塞したとき、トリガー７等噴出器本体一部へ接してノズルキャップ１１の回動を停止させる第１ストッパ１５を設けてもよく、このようにすることで、液体通路が開き、又閉塞された位置で、ノズルキャップ１１の回動を確実に停止させることが出来る。
【００１６】
図示例において第１ストッパ１５は、後方への張出し板部１６がトリガー側面へ接したとき、図３が示すようにその張出し板部１６の後端から突出させた係合板１７がトリガー７後面へ接して、該状態ではトリガー７の引寄せによる、液体噴出操作が不能となるよう設けている。
【００１７】
上記第１、第２ストッパ１５、２１は、それ等の一方ないし双方を、ノズルキャップ１１回動用の把手として兼用することも出来る。
【００１８】
図８以下は第２実施形態を示す。該実施形態は、上記第１ストッパ１５を有しない場合を示す。その他構造は第１実施形態の場合と同一であり、よって説明の重複を避けるため、同一符号を付することで説明は省略する。
尚本発明においてノズルキャップとは、既述特許文献２が示すように、一体的に嵌着させた内外二重筒で形成したものも含むものとする。
【００１９】
【発明の効果】
本発明は既述構成とするもので、請求項１記載のようにすることで、液体通路の開通が完全に行われた状態でだけ液体噴出操作することができ、よって従来のように液体通路の開通が不完全なままでの液体噴出を防止できる。
【００２０】
請求項２のようにすることで、ノズルキャップ１１を正方向、つまり液体通路開通方向へ回せば、完全開通位置で第２ストッパ２１がノズルキャップを停止し、又逆方向へ回せば、液体通路完全閉塞位置で第１ストッパ１５がノズルキャップ１１を停止することとなり、従って射出筒に対するノズルキャップの回転位置を目視により確認しなくてもよい便利がある。
【００２１】
請求項３のようにすることで、ノズルキャップの回動に要する力を減少させることが出来る。
【図面の簡単な説明】
【図１】本発明液体噴出器付き容器の側面図である。
【図２】図１液体噴出器の拡大断面図である。
【図３】図１容器の正面図である。
【図４】図１容器の平面図である。
【図５】液体噴出可能とした状態で示す、図１容器の側面図である。
【図６】図４容器の正面図である。
【図７】図４容器の平面図である。
【図８】第２実施形態における、本発明容器の側面図である。
【図９】図８容器の正面図である。
【図１０】図８容器の平面図である。
【符号の説明】
１…容器体                  ２…液体噴出器
１１…ノズルキャップ            １３…液体通路
１５…第１ストッパ            ２１…第２ストッパ
【図１】
2004298683.tif 000003
【図２】
2004298683.tif 000004
【図３】
2004298683.tif 000005
【図４】
2004298683.tif 000006
【図５】
2004298683.tif 000007
【図６】
2004298683.tif 000008
【図７】
2004298683.tif 000009
【図８】
2004298683.tif 000010
【図９】
2004298683.tif 000011
【図１０】
2004298683.tif 000012